(57)【特許請求の範囲】
【請求項１】
開口が形成された本体部材と、この開口に対して開閉自在に設けられた扉と、この扉を開閉させる開閉駆動手段と、前記本体部材内に前記開口を通過するように移動自在に設けられた可動部材と、前記可動部材を移動させる移動駆動手段と、を有する扉の開閉構造であって、
前記開閉駆動手段は、
両端に側面視で略Ｄ字状の切欠部が形成され、前記本体部材に設けられたシャフト支持部に回転自在に支持された略円柱状のシャフトと、
前記扉の基端部に設けられ、内表面に側面視で扇形状の突起部が形成された挿通孔に前記シャフトの切欠部を挿通させて当該シャフトを所定の角度分回動自在に支持する軸支持手段と、
前記扉を開閉させるための駆動力を発生する駆動力発生手段と、
前記駆動力発生手段の駆動力を前記シャフトの一方端に伝達する駆動力伝達手段と、
前記シャフトの一方端に嵌入装着され、前記扉に閉方向の付勢力を付与する付勢手段と、
を含み、
前記扉が前記開口を閉じる閉状態で前記移動駆動手段により前記可動部材が移動されて前記扉に対して当該可動部材の開方向の押圧力が生じたとき、前記突起部が前記シャフトの切欠部に当接するまで前記軸支持手段が開方向に回転することにより、前記可動部材の押圧力に応じて前記扉を閉状態から開状態に移行させることを特徴とする、扉の開閉構造。
【請求項２】
前記駆動力発生手段は、モータであり、前記駆動力伝達手段は、前記モータのロータに連結されたウォームと、前記シャフトの切欠部に固着され、前記ウォームに噛合されたウォームホイールとで構成されたウォームギアである、請求項１に記載の扉の開閉構造。
【請求項３】
前記付勢手段は、前記シャフトの端部に嵌入装着され、一方端が前記ウォームホイール側に固着されるとともに他方端が前記扉側に固着されているコイルバネである、請求項１又は２に記載の扉の開閉構造。
【請求項４】
前記扉の閉状態を検出するための検出手段と、
前記扉の閉状態で前記シャフトの回転を阻止するための阻止手段と、
前記開閉駆動手段によって前記シャフトを回転駆動させることにより前記扉を開状態から閉状態に移行させ、前記検出手段によって前記扉の閉状態を検出したとき、前記阻止手段によって前記シャフトの回転が阻止されるまで前記開閉駆動手段による前記シャフトの回転駆動を継続させる駆動制御手段と、
を備える、請求項１ないし３のいずれかに記載の扉の開閉構造。
【請求項５】
画像を表示させるための表示部材として構成された前記可動部材と、前記表示部材を出し入れするための開口に複数枚の扉部材からなる前記扉が設けられた前記本体部材とを有する演出表示部を備えるスロットマシン遊技機であって、
前記演出表示部の前記扉に、請求項１ないし４のいずれかに記載の扉の開閉構造が用いられたことを特徴とする、スロットマシン遊技機。
【請求項６】
略平面状の記録媒体を載置するトレイとして構成された前記可動部材と、前記トレイを出し入れするための開口と少なくとも１の操作部材とが設けられた凹陥部を覆うための前記扉とを有する前記本体部材を備える電子機器であって、
前記本体部材の前記扉に、請求項１ないし４のいずれかに記載の扉の開閉構造が用いられたことを特徴とする、電子機器。
【発明の詳細な説明】
【技術分野】
【０００１】
本願発明は、例えばスロットマシン遊技機や電子機器等に適用される扉の開閉構造に関する。
【背景技術】
【０００２】
従来、連続して変化する図柄を直線状に一致させるように停止させて遊技することのできる、いわゆるスロットマシン遊技機が各種提案されている（例えば、特許文献１参照）。
【０００３】
【特許文献１】特開２００６−５１０５６号公報
【０００４】
スロットマシン遊技機（以下、単に「遊技機」という。）では、前面パネルに縦方向３列に回転自在に並設された回転リールが設けられている。各回転リールの外周面には、複数個の図柄が一周にわたって配列して描かれている。例えば、遊技者によって所定のスタートボタンが操作されると、上記回転リールが縦方向に回転され、各回転リールに対応したストップボタンが操作されることにより、各回転リールが停止する。この場合、回転リールの図柄が２つ又は３つ横又は斜め方向に直線状に一致した場合、入賞となり、所定数のメダル（又はコイン）が払い出される。
【０００５】
ところで、このような遊技機においては、前面パネルの周囲に装飾ランプ等が設けられており、遊技時において必要に応じて装飾ランプが点灯又は消灯するようになっている。また、前面パネルの上部に、例えば液晶ディスプレイ装置からなる演出表示部が設けられており、遊技時又は入賞時において種々の表示を出力することにより、種々の演出が行なわれる。
【０００６】
近年の遊技機においては、さらなる演出効果を奏するために上記演出表示部が複数の扉で覆われたものが提案されている。図１は遊技機の正面図であるが、この遊技機では複数の回転リールが配置された表示窓６の上部に演出表示部２が設けられている。なお、本願発明の遊技機は、その外観が従来の遊技機と同様であるため、本願発明の詳細を説明する［発明を実施するための最良の形態］の欄で再度図１を参照する。
【０００７】
演出表示部２は、図３４（ａ），（ｂ）に示すように、半透明状の開閉自在な４枚の扉２４を備える扉開閉ユニット部１２０と、例えば液晶表示器を備える表示ユニット部１２１と、開閉ユニット部１２０及び表示ユニット部１２１を収納する収納部１２２とによって構成されている。なお、図３４の（ａ），（ｃ），（ｅ），（ｇ）は演出表示部２を正面から見た図、（ｂ），（ｄ），（ｆ），（ｈ）は演出表示部２内の要部を側面から見た図である。
【０００８】
演出表示部２では、扉開閉ユニット部１２０及び表示ユニット部１２１が収納部１２２内で前後方向（図３４（ｄ）の矢印Ｚ参照）に移動自在とされている。例えば、扉開閉ユニット部１２０が収納部１２２の前方に位置する第１の状態（図３４（ａ），（ｂ）参照）以外に、扉開閉ユニット部１２０及び表示ユニット部１２１が後方に移動して収納部１２２の内部に収まった第２の状態（図３４（ｃ），（ｄ）参照）、第２の状態で扉開閉ユニット部１２０の扉２４が開かれた第３の状態（図３４（ｅ），（ｆ）参照）、及び第３の状態で表示ユニット部１２１のみが前方方向に移動した第４の状態（図３４（ｇ），（ｈ）参照）がそれぞれ演出可能とされている。
【０００９】
第３の状態及び第４の状態では、扉開閉ユニット部１２０の４枚の各扉２４は、内側から外側に向けてかつ前方側に開かれる。そして、第４の状態では、表示ユニット部１２１は、開状態の扉開閉ユニット部１２０を潜るようにして前方側に移動される。このように、上記遊技機においては、演出表示部２で上記のような動作を可能とすることにより、遊技者に興趣を与えたり、遊技者の関心を引いたりすることができる。
【００１０】
この場合、扉開閉ユニット部１２０の各扉２４は、表示ユニット部１２１の移動を阻害しないように、確実に開状態であることが望ましい。扉開閉ユニット部１２０及び表示ユニット部１２１の移動制御並びに扉開閉ユニット部１２０の各扉２４の開閉制御は、遊技機内部に備えられた図示しないＣＰＵによって行われる。
【００１１】
しかしながら、何らかの原因でＣＰＵが誤動作したり、扉開閉ユニット部１２０や表示ユニット部１２１を移動させるための駆動機構等が誤動作したりすると、扉開閉ユニット部１２０及び表示ユニット部１２１の移動制御並びに扉開閉ユニット部１２０の各扉２４の開閉制御に不具合が生じることがある。
【００１２】
例えば、扉２４が完全に開状態になっていない状態で、表示ユニット部１２１が前方側に移動すると、表示ユニット部１２１が扉２４に衝突してしまい、表示ユニット部１２１及び扉２４が損傷してしまうことになる。また、扉２４の閉状態のままで表示ユニット部１２１が移動しようとすると、表示ユニット部１２１の移動が阻止されて表示ユニット部１２１を駆動する図示しないモータや駆動機構等に余計な負荷がかかってしまうことになる。
【発明の開示】
【発明が解決しようとする課題】
【００１３】
本願発明は、上記した事情のもとで考え出されたものであって、扉の閉状態で可動部材が扉に衝突しても扉や可動部材の損傷を抑制することのできる、扉の開閉構造を提供することを、その課題とする。
【課題を解決するための手段】
【００１４】
上記の課題を解決するため、本願発明では、次の技術的手段を講じている。
【００１５】
本願発明の第１の側面によって提供される扉の開閉構造は、開口が形成された本体部材と、この開口に対して開閉自在に設けられた扉と、この扉を開閉させる開閉駆動手段と、前記本体部材内に前記開口を通過するように移動自在に設けられた可動部材と、前記可動部材を移動させる移動駆動手段と、を有する扉の開閉構造であって、前記開閉駆動手段は、両端に側面視で略Ｄ字状の切欠部が形成され、前記本体部材に設けられたシャフト支持部に回転自在に支持された略円柱状のシャフトと、前記扉の基端部に設けられ、内表面に側面視で扇形状の突起部が形成された挿通孔に前記シャフトの切欠部を挿通させて当該シャフトを所定の角度分回動自在に支持する軸支持手段と、前記扉を開閉させるための駆動力を発生する駆動力発生手段と、前記駆動力発生手段の駆動力を前記シャフトの一方端に伝達する駆動力伝達手段と、前記シャフトの一方端に嵌入装着され、前記扉に閉方向の付勢力を付与する付勢手段と、を含み、前記扉が前記開口を閉じる閉状態で前記移動駆動手段により前記可動部材が移動されて前記扉に対して当該可動部材の開方向の押圧力が生じたとき、前記突起部が前記シャフトの切欠部に当接するまで前記軸支持手段が開方向に回転することにより、前記可動部材の押圧力に応じて前記扉を閉状態から開状態に移行させることを特徴としている（請求項１）。
【００１６】
好ましい実施の形態によれば、前記駆動力発生手段は、モータであり、前記駆動力伝達手段は、前記モータのロータに連結されたウォームと、前記シャフトの切欠部に固着され、前記ウォームに噛合されたウォームホイールとで構成されたウォームギアであるとよい（請求項２）。
【００１７】
好ましい実施の形態によれば、前記付勢手段は、前記シャフトの端部に嵌入装着され、一方端が前記ウォームホイール側に固着されるとともに他方端が前記扉側に固着されているコイルバネであるとよい（請求項３）。
【００１８】
好ましい実施の形態によれば、前記扉の閉状態を検出するための検出手段と、前記扉の閉状態で前記シャフトの回転を阻止するための阻止手段と、前記開閉駆動手段によって前記シャフトを回転駆動させることにより前記扉を開状態から閉状態に移行させ、前記検出手段によって前記扉の閉状態を検出したとき、前記阻止手段によって前記シャフトの回転が阻止されるまで前記開閉駆動手段による前記シャフトの回転駆動を継続させる駆動制御手段と、を備えるとよい（請求項４）。
【００１９】
本願発明の第２の側面によって提供されるスロットマシン遊技機は、画像を表示させるための表示部材として構成された前記可動部材と、前記表示部材を出し入れするための開口に複数枚の扉部材からなる前記扉が設けられた前記本体部材とを備えるスロットマシン遊技機であって、前記演出表示部の前記扉に、本願発明の第１の側面によって提供される扉の開閉構造が用いられたことを特徴としている（請求項５）。
【００２０】
本願発明の第３の側面によって提供される電子機器は、略平面状の記録媒体を載置するトレイとして構成された前記可動部材と、前記トレイを出し入れするための開口と少なくとも１の操作部材とが設けられた凹陥部を覆うための前記扉とを有する前記本体部材を備える電子機器であって、前記本体部材の前記扉に、本願発明の第１の側面によって提供される扉の開閉構造が用いられたことを特徴としている（請求項６）。
【発明の効果】
【００２１】
上記構成によれば、軸支持手段の挿通孔の内表面に、側面視で扇形状の突起部が形成され、シャフトの切欠部が挿通孔内でシャフトの軸心周りに所定の角度分回転可能になっているので、例えば扉が閉状態であって扉に対して可動部材の押圧力が生じたとき、軸支持手段がシャフトに対して所定の角度分回転することにより、可動部材の押圧力に応じて扉は開状態に移行される。そのため、扉が閉状態にもかかわらず例えば可動部材が誤動作して扉を押圧してもその押圧力に応じて扉は閉状態から開状態に移行する。したがって、扉や可動部材を損傷させることを抑制することができる。また、シャフトを回転させて扉の開閉を駆動する開閉駆動手段に余計な負荷をかけることを抑制することができる。
【００２２】
本願発明のその他の特徴及び利点は、添付図面を参照して以下に行う詳細な説明によって、より明らかとなろう。
【発明を実施するための最良の形態】
【００２３】
以下、本願発明の好ましい実施の形態を、添付図面を参照して具体的に説明する。
【００２４】
図１は、本願発明の第１実施例に係る扉の開閉構造が適用されるスロットマシン遊技機の概略正面図である。このスロットマシン遊技機（以下、単に「遊技機」という。）は、メダル（又はコイン）を投入することにより遊技者が遊技することのできるものである。なお、本願発明は、スロットマシン遊技機に適用されることに限らず、パチンコ遊技機やパチスロ遊技機等にも適用することができる。
【００２５】
図１において、この遊技機は、盤面状に形成された本体１を有している。本体１の正面上部には、複数（図１では４枚）の扉２４を有する演出表示部２が設けられている。演出表示部２の詳細については後述する。
【００２６】
演出表示部２の左右及び上方には、遊技状態によって点灯又は消灯する装飾ランプ３が設けられている。装飾ランプ３は、ＬＥＤ（発光ダイオード）や蛍光灯等によって構成されている。
【００２７】
演出表示部２の左右両側には、その表面にパンチングが施された横長のアルミニウム製パネル４が設けられ、このパネル４の後方には、効果音等を出力するための複数の図示しないスピーカが配置されている。
【００２８】
演出表示部２の下部には、奥行き方向に所定量凹んだ凹陥部５が形成されており、凹陥部５には正面視で略矩形状の表示窓６が形成されている。表示窓６には、透明のアクリル板が嵌め込まれており、表示窓６の後方であって本体１の内部には、３つの回転リール７，８，９が縦方向に回転自在に設けられている。
【００２９】
各回転リール７，８，９の外周面には、複数個の図柄が描かれており、表示窓６からは、各回転リール７，８，９に描かれた図柄のうちの３つの図柄が視認されるようになっている。本遊技機では、各回転リール７，８，９に描かれている９個の図柄のうち、３個の図柄が横一列又は斜め一列に所定の組み合わせで揃うと、入賞となり、入賞の種類に応じたメダル数が払い出される。
【００３０】
表示窓６の右部には、投入数表示部１０及び払出数表示部１１が設けられている。投入数表示部１０は、例えば７セグメントＬＥＤ表示器によって構成され、１ゲーム当りのメダルの投入数を表示するためのものである。払出数表示部１１は、投入数表示部１０と同様に７セグメントＬＥＤ表示器によって構成され、入賞時に払い出すメダルの払出数を表示するためのものである。
【００３１】
凹陥部５の下部にある上向面１２であってその左側には、ベットボタン１３及び精算ボタン１４が設けられている。ベットボタン１３は、メダルの賭け数を設定するためのボタンである。精算ボタン１４は、遊技者がプレイを終了したい場合に、メダルを精算するためのボタンである。精算ボタン１４が操作されると、メダルが受け皿２０（後述）に返却されるようになっている。
【００３２】
凹陥部５の上向面１２の右側には、メダル投入口１５が設けられている。メダル投入口１５は、遊技者が遊技を行うときにメダルを投入するものである。
【００３３】
凹陥部５の下部正面には、スタートボタン１６及び各回転リール７，８，９が回転状態となったときにそれらをそれぞれ停止させる３つのストップボタン１７，１８，１９が設けられている。スタートボタン１６は、回転リール７，８，９の回転動作を開始させるためのボタンであり、遊技者によってスタートボタン１６が操作されると、回転リール７，８，９の回転動作が開始されるようになっている。
【００３４】
各ストップボタン１７，１８，１９は、各回転リール７，８，９に対応して設けられており、最も左に位置する第１ストップボタン１７が遊技者によって操作されると、回転リール７が停止し、中央に位置する第２ストップボタン１８が遊技者によって操作されると、回転リール８が停止し、最も右に位置する第３ストップボタン１９が遊技者によって操作されると、回転リール９が停止するようになっている。
【００３５】
本体１の下部には、遊技者が獲得したメダルを貯留しておくための受け皿２０が設けられている。なお、上記した装飾ランプ３の点消灯制御、スピーカの音声出力制御、投入数表示部１０及び払出数表示部１１の表示制御、回転リール７，８，９の回転駆動制御、並びにスタートボタン１６及び各ストップボタン１７，１８，１９の操作制御等の電気的制御は、本体１内部に設けられた図示しない制御回路によって行われる。
【００３６】
次に、演出表示部２の構成について説明する。図２は、演出表示部２の分解斜視図である。演出表示部２は、大別して収容部２１、表示ユニット部２２及び扉開閉ユニット部２３によって構成されている。以下では、図２において左下斜め方向を前方側といい、右上斜め方向を後方側といい、前方方向から演出表示部２を正面視して右側、左側ということにする。
【００３７】
収納部２１は、遊技機の本体１の内部に固着されており、表示ユニット部２２及び扉開閉ユニット部２３を収納するスペースを有している。表示ユニット部２２は、この遊技機の主題に沿ったキャラクタや背景画像を表示させるためのものであり、収納部２１の内部を前後方向Ｚ（図２の矢印Ｚ参照）に移動可能に設けられている。また、扉開閉ユニット部２３は、図１に示した４枚の扉２４を開閉自在に備えたものであり、表示ユニット部２２と同様に、収納部２１の内部を前後方向Ｚに移動可能に設けられている。
【００３８】
特に、本実施形態では、詳細は後述するように、扉開閉ユニット部２３が収納部２１内で後方側に後退しかつ扉２４が開状態であるとき、表示ユニット部２２は、扉開閉ユニット部２３の扉２４が開状態で生じる開口２５を潜り抜けながら移動することができるようになっている。
【００３９】
収納部２１は、図３に示すように、底板２７と、底板２７の左右端から高さ方向に延びた一対の側板２８ａ，２８ｂと、底板２７の背面側端部から高さ方向に延びた背面板２９と、底板２７に対向する天板３０とによってその外形が形成される。
【００４０】
収納部２１の内部であって背面板２９の近傍には、表示ユニット部２２を前後方向Ｚに移動させるための第１駆動機構３１及び扉開閉ユニット部２３を前後方向Ｚに移動させるための第２駆動機構３２がそれぞれ設けられている。
【００４１】
より具体的には、収納部２１の左右奥方には、一対の略コ字状の支持板３３ａ，３３ｂが設けられている。正面視で右側の支持板３３ａには、側板２８ａに隠れて図示されていないモータが取り付けられ、左側の支持板３３ｂには、当該モータによって第１回転軸３５を介して回転駆動される第１主ギア３７と、第１主ギア３７に歯合された第１補助ギア３８とが配置さられている。なお、図示していないが、右側の支持板３３ａの内側にも、第１回転軸３５に連結された、第１主ギア３７及び第１補助ギア３８に相当する第１主ギア及び第１補助ギアがそれぞれ配置されている。第１駆動機構３１は、上記図略のモータ、第１回転軸３５、第１主ギア３７、第１補助ギア３８、図略の第１主ギア及び第１補助ギアによって構成される。
【００４２】
また、支持板３３ａには、モータ３９が取り付けられ、左側の支持板３３ｂには、モータ３９によって第２回転軸４０を介して回転駆動される第２主ギア４１と、第２主ギア４１に歯合された第２補助ギア４２とが配置されている。なお、図示していないが、右側の支持板３３ａの内側にも、第２回転軸４０に連結された、第２主ギア４１及び第２補助ギア４２に相当する第２主ギア及び第２補助ギアがそれぞれ配置されている。第２駆動機構３２は、モータ３９、第２回転軸４０、第２主ギア４１、第２補助ギア４２、図略の第２主ギア及び第２補助ギアによって構成される。
【００４３】
上述したモータ３９（図略のモータを含む）は、図略のＣＰＵよってそれぞれ駆動され、当該ＣＰＵは、一対の支持板３３ａ，３３ｂをそれらの下方で掛け渡すように配置された回路基板４３に実装されている。
【００４４】
収納部２１の側板２８ａ，２８ｂには、それぞれの内側に表示ユニット部２２のガイドローラ５５（後述）を回転支持するためのガイドレール４５が形成されている。側板２８ａ，２８ｂの内側には、各ガイドレール４５の上部に、扉開閉ユニット部２３のガイドローラ６２（後述）を回転支持するためのガイドレール４６がそれぞれ形成されている。なお、ガイドレール４５，４６は、上下に平行に設けられた２本の凸状レールでそれぞれ１組とされている。
【００４５】
表示ユニット部２２は、図４に示すように、例えば液晶表示器又はプラズマディスプレイ表示器等によって構成されている表示本体４７と、表示本体４７を支持するための支持基体４８と、左右一対のラック体４９（左側のラック体は図示せず）と、左右一対の搬送部材５０（左側の搬送部材は図示せず）とによって構成されている。
【００４６】
ラック体４９は、支持基体４８から後方側に向かって延び、上面に収納部２１の図略の第１補助ギアと歯合するためのギア５１が形成されている。なお、図略の左側のラック体にも同様のギアが形成されており、当該ギアは、収納部２１の第１補助ギア３８（図３参照）と歯合する。
【００４７】
搬送部材５０は、支持基体４８から後方側に向かって延出された延出部５２と、延出部５２の後端から外側に向かって屈折された屈折部５３と、屈折部５３の端部から上記延出部５２と対向するように折り返された折返し部５４とからなる。
【００４８】
折返し部５４の外側表面には、表示ユニット部２２の移動方向に沿って配置された２個１対のガイドローラ５５が２組それぞれ回転自在に設けられている。ガイドローラ５５は、図３に示したガイドレール４５に案内され、表示ユニット部２２の前後方向の移動を補助する。なお、左側の搬送部材（図略）についても同様の構成である。
【００４９】
表示ユニット部２２は、収納部２１の図略のモータが回転駆動されることにより、前後方向に移動される。すなわち、図略のモータが回転駆動すると、その回転力が第１回転軸３５、第１主ギア３７、第１補助ギア３８を介して図略のラック体のギアに伝達されるとともに、図３において図略の第１主ギア、第１補助ギアを介してラック体４９のギア５１に伝達される。これにより、表示ユニット部２２は前後方向Ｚに移動される。このとき、ガイドローラ５５は収納部２１のガイドレール４５に案内され、表示ユニット部２２の前後方向Ｚの移動がスムーズに行われる。
【００５０】
扉開閉ユニット部２３は、図５に示すように、４枚の扉２４と、それらを開閉する４組の扉開閉機構５７と、これら扉開閉機構５７を回動自在に支持するための支持枠体５９とによって構成されている。扉開閉機構５７を扉２４ごとに設けているのは、遊技機の演出上、各扉２４を独立して開閉させる必要があるからである。支持枠体５９は、中央に略矩形状の開口２５を有している。この開口２５の寸法は、表示ユニット部２２の外形より大となるように形成されている。すなわち、表示ユニット部２２が潜り抜けることのできる大きさを有している。
【００５１】
支持枠体５９には、左右端から後方側に延びた一対の延設部６１ａ，６１ｂが形成されており、これら延設部６１ａ，６１ｂの外側には、扉開閉ユニット部２３の移動方向に沿って配置された２個１対のガイドローラ６２が２組ずつそれぞれ回転自在に設けられている。なお、延設部６１ｂにおけるガイドローラの構成は、図示されていないが、延設部６１ａのガイドローラ６２の構成と同様である。
【００５２】
延設部６１ａ，６１ｂの上面には、後方側に延びるようにラック体６３ａ，６３ｂがそれぞれ取り付けられ、ラック体６３ａ，６３ｂの上面はギア６４ａ，６４ｂがそれぞれ形成されている。ラック体６３ａのギア６４ａは、収納部２１の図略の第２補助ギアと歯合される。ラック体６３ｂのギア６４ｂは、収納部２１の第２補助ギア４２（図３参照）と歯合される。
【００５３】
扉開閉ユニット部２３は、収納部２１のモータ３９が回転駆動されることにより、前後方向に移動される。すなわち、モータ３９が回転駆動すると、その回転力が第２回転軸４０、第２主ギア４１、第２補助ギア４２を介してラック体６３ｂのギア６４ｂに伝達されるとともに、図３において図略の第２主ギア、第２補助ギアを介してラック体６３ａのギア６４ａに伝達される。これにより、扉開閉ユニット部２３は前後方向Ｚに移動される。このとき、ガイドローラ６２は、収納部２１のガイドレール４６に案内され、扉開閉ユニット部２３の前後方向Ｚの移動がスムーズに行われる。
【００５４】
支持枠体５９には、開口２５の４辺に沿ってシャフト７２を回転自在に支持するためのシャフト支持部６６が設けられている。シャフト支持部６６は、開口２５の１辺に対して２つずつ設けられている。シャフト支持部６６には、断面視で円形状の挿通孔が形成されており、挿通孔にはシャフト７２が遊嵌される。
【００５５】
支持枠体５９には、扉開閉機構５７に連結され、扉開閉機構５７を駆動するための４組の駆動機構がそれぞれ設けられている。駆動機構の１組は、ウォームホイール６８、図略のプーリギア及び扉開閉用モータ６９によって構成される。各ウォームホイール６８は、上記各プーリギアを介して各扉開閉用モータ６９の回転力が伝達されるようになっている。扉開閉用モータ６９は、回路基板４３（図３参照）に実装された図略のＣＰＵによって駆動制御され、扉２４の開閉動作を制御する（詳細は後述）。
【００５６】
図６は、扉２４及び扉開閉機構５７の分解斜視図である。図７は、扉２４及び扉開閉機構５７が組み合わされた場合の斜視図である。なお、図６及び図７は、扉２４及び扉開閉機構５７を後方斜め下側から見た図である。また、図６及び図７に示す扉２４及び扉開閉機構５７の構成は、４組あるうちの１組の構成であるが、扉２４及び扉開閉機構５７は寸法が異なることを除いて同様の構成である。
【００５７】
扉開閉機構５７は、扉２４の長辺に沿って固着された略矩形状の長尺部材７１と、長尺部材７１と略同等の長さを有するシャフト７２と、コイルバネ７３と、ウォームホイール６８（図５参照）に歯合されるウォーム７４と、蓋部材７５とによって概略構成されている。
【００５８】
シャフト７２は略円柱形状に形成され、その両端には切欠部７７が形成されている。図８はシャフト７２の側面図であり、図８（ａ）は図６における右側面から、図８（ｂ）は図６における左側面からそれぞれ見た図である。切欠部７７は、図８に示すように、側面視で略Ｄ字状に形成されたものであり、これにより平面部７７ａが形成されている。切欠部７７は、上記長尺部材７１に設けられる軸支持部７６（後述）の挿通孔７６ａに挿通される。
【００５９】
シャフト７２の一方端の切欠部７７には、図８（ｂ）に示すように、狭窄部７８が形成されている。狭窄部７８は、先端部に向かって半径が狭まるテーパ状に形成されている。狭窄部７８は、ウォーム７４を嵌合固着するためのものである。
【００６０】
長尺部材７１には、その端部近傍にシャフト７２を回転可能に支持するための一対の軸支持部７６が設けられており、各軸支持部７６には挿通孔７６ａがそれぞれ形成されている。軸支持部７６の挿通孔７６ａは、図９に示すように、略円柱形状ではなく、挿通孔７６ａの内表面の一部が略三角柱形状に突出した突出部７６ｂが形成されている。突出部７６ｂは、平面状の第１平面部７６ｃと、第１平面部７６ｃに対して略直交方向に連設された平面状の第２平面部７６ｄとを有している。なお、図９は、扉２４及び長尺部材７１を図７における左側から見た側面図であるが、コイルバネ７３及びウォーム７４は省略されている。
【００６１】
シャフト７２の一方端近傍には、コイルバネ７３が取り付けられる。コイルバネ７３は、扉２４の閉時に扉２４を閉状態に付勢するために設けられたものである。コイルバネ７３は、その一端がウォーム７４に支持され、他端が扉２４に支持されている。
【００６２】
シャフト７２の狭窄部７８には、ウォーム７４が嵌合固着される。ウォーム７４は、側面視で約１／４円の略扇状に形成され、円弧面に歯が形成されている。ウォーム７４は、歯合されるウォームホイール６８とともにウォームギアを構成する。ウォーム７４は、ウォームホイール６８が回転することにより回転され、その回転力をシャフト７２に伝達する。これにより、シャフト７２が回転し扉２４の開閉が行われる。
【００６３】
蓋部材７５は、シャフト７２を保護するためのものであり、長尺部材７１にビス止めされるものである。
【００６４】
図７に示すように、軸支持部７６の挿通孔７６ａにシャフト７２の切欠部７７が挿通され、扉２４及び扉開閉機構５７が組み合わされると、図９に示すような扉２４が略垂直の姿勢では、挿通孔７６ａには、シャフト７２の切欠部７７が所定の角度だけ回転可能となる遊動空間７９が生じる。この遊動空間７９内を切欠部７７が所定角度（図９の状態からは反時計回りに約９０°）回転することにより、シャフト７２も所定角度回転することになる。
【００６５】
図９は、扉２４が略垂直の姿勢、すなわち閉状態の場合であるが、この閉状態では、シャフト７２の切欠部７７の平面部７７ａは、軸支持部７６の挿通孔７６ａの第１平面部７６ｃに当接されている。この場合、軸支持部７６の挿通孔７６ａには遊動空間７９が生じているため、シャフト７２は、扉２４を閉状態に保持した状態で図９における反時計周りに回転することができる。シャフト７２が図９における反時計周りに回転すると、シャフト７２の切欠部７７は、図９の矢印Ｌ１に示す回転方向に変位する。すなわち、シャフト７２は、その切欠部７７の平面部７７ａが挿通孔７６ａの第１平面部７６ｃから離間し、第２平面部７６ｄに当接するまで回転することになる。
【００６６】
一方、例えばシャフト７２が図９に示す静止した状態において、扉２４及び扉開閉機構５７が、図１０に示すように、図１０における時計周りに回転すると、挿通孔７６ａの第１平面部７６ｃは、図１０の矢印Ｌ２に示す回転方向に変位する。したがって、切欠部７７の平面部７７ａから離間されていた挿通孔７６ａの第２平面部７６ｄは、切欠部７７の平面部７７ａに当接するようになる。
【００６７】
このように、本実施形態では、シャフト７２の両端に切欠部７７が形成され、シャフト７２が長尺部材７１の軸支持部７６の挿通孔７６ａに挿通されると、挿通孔７６ａに遊動空間７９が生じるため、扉２４及び扉開閉機構５７が静止した状態でシャフト７２が遊動空間７９の角度範囲内で回転したり、逆にシャフト７２が静止した状態で扉２４及び扉開閉機構５７が遊動空間７９の角度範囲内で回転したりすることができるようになっている。
【００６８】
次に、上記の構成における扉２４の開閉動作を説明する。
【００６９】
図１１は、扉２４が閉状態にある場合の扉開閉ユニット部２３の要部側面図である。図１２は、扉２４が開状態にある場合の扉開閉ユニット部２３の要部側面図である。なお、図１１及び図１２は、支持枠体５９の上辺に配置される扉２４及び扉開閉機構５７を側面から見た図であり、本来手前側にある扉２４及び扉開閉機構５７は省略されている。
【００７０】
扉２４の閉状態では、図９に示したように、シャフト７２の切欠部７７の平面部７７ａは、軸支持部７６の挿通孔７６ａの第１平面部７６ｃに当接している。この状態において扉開閉用モータ６９（図５参照）が駆動され、ウォームホイール６８にその回転力が伝達されると、ウォームホイール６８に歯合されたウォーム７４は、前方側に迫り出すように（側面視で時計周りに）回転する。このウォーム７４にはシャフト７２が固定されているので、ウォーム７４の回転にともないシャフト７２も回転する（図１１の矢印Ｌ３参照）。
【００７１】
シャフト７２の切欠部７７の平面部７７ａは、軸支持部７６の挿通孔７６ａの第１平面部７６ｃに当接しているので、シャフト７２が回転することにより、図１１の矢印Ｐ１に示す向きに第１平面部７６ｃに対して押圧力が加わる。これにより、図１２に示すように、扉開閉機構５７及び扉２４が時計周りに回転する（矢印Ｌ４参照）。すなわち、扉２４は、略垂直の姿勢から図１２に示す略水平の姿勢になるまで変位する。
【００７２】
この場合、シャフト７２の切欠部７７の平面部７７ａと、軸支持部７６の挿通孔７６ａの第１平面部７６ｃとの当接状態は、扉２４が閉状態から開状態に移行されても維持される。
【００７３】
扉２４が開状態になると、必要に応じて表示ユニット部２２が前方側に迫り出すように移動する。すなわち、表示ユニット部２２は、図略のＣＰＵの指令により、扉２４が開状態になることにより生じる開口２５を潜り抜けるように移動する（図３４の（ｆ），（ｈ）参照）。このように、この遊技機においては、開かれた扉２４から表示ユニット部２２自体が迫り出すように移動することにより、表示ユニット部２２に表示された画像があたかも飛び出すような演出を行うことができる。
【００７４】
ここで、従来の構成では、扉開閉ユニット部において扉が開状態でないにもかかわらず、表示ユニット部が誤動作して前方側に移動し扉と衝突したり、表示ユニット部が扉に衝突したまま扉開閉用モータや駆動機構が駆動されるので扉開閉用モータ等に余計な負荷がかかったりすることがあった。
【００７５】
本実施形態においては、上記したように、扉開閉ユニット部２３の軸支持部７６の挿通孔７６ａが、シャフト７２の切欠部７７に対して遊動空間７９を生じるように形成されているので、上記表示ユニット部２２が前方方向に移動しても上記不都合を解消することができる。
【００７６】
図１３は、扉２４の閉状態において表示ユニット部２２が例えば誤動作して前方方向に移動した場合の側面図である。図１４は、図１３における扉開閉ユニット部２３の要部側面図である。例えば扉２４の閉状態（図１１参照）において表示ユニット部２２が移動すると、扉２４には、その裏側に表示ユニット部２２からの押圧力が加わる。
【００７７】
この押圧力により、扉２４が強制的に開動作するとともに扉開閉機構５７がシャフト７２の軸周りに回転されるのであるが、このときシャフト７２は回転動作しない。すなわち、軸支持部７６の挿通孔７６ａには、切欠部７７に対して遊動空間７９が生じているので、扉２４が閉状態（図１１参照）のときに、シャフト７２の切欠部７７の平面部７７ａに当接していた、挿通孔７６ａの第１平面部７６ｃは、図１４の矢印Ｌ５に示すように、当該平面部７７ａから離間され、挿通孔７６ａの第２平面部７６ｄが当該平面部７７ａに接近する。したがって、軸支持部７６がシャフト７２の軸周りに回転し、これにともない扉２４及び扉開閉機構５７が回転する（矢印Ｌ６参照）。この場合、シャフト７２自体は静止状態が維持される。
【００７８】
このように、軸支持部７６の挿通孔７６ａには、切欠部７７に対して遊動空間７９が生じているので、軸支持部７６の突出部７６ｂは遊動空間７９内において所定角度（本実施形態では約９０°）回転することができ、これにより扉２４及び扉開閉機構５７も、表示ユニット部２２の前方移動による押圧力が加わっても所定角度回転することができる。すなわち、本実施形態では、表示ユニット部２２が衝突しても表示ユニット部２２の押圧力を逃がすことができる。したがって、扉２４や表示ユニット部２２が衝突することによる破損を抑制することができる。
【００７９】
また、扉２４に表示ユニット部２２による押圧力が加わっても、シャフト７２は静止状態を維持するので、ウォーム７４は回転することがない。そのため、ウォームホイール６８も回転することがなく、扉開閉用モータ６９に負荷をかけることがない。したがって、扉開閉用モータ６９や駆動機構等に余計な負荷がかかることを抑制することができる。
【００８０】
また、従来の構成では、扉２４及び表示ユニット部２２が衝突する場合のために、両者の強度や重量等を考慮する必要があったが、本実施形態ではその必要がなくなり、扉２４及び表示ユニット部２２を設計する際の自由度が増す。
【００８１】
なお、図１４に示すように、扉２４が表示ユニット部２２の押圧力によって強制的に閉状態から開状態とされた場合には、コイルバネ７３はその付勢力に抗して伸張状態とされているが、表示ユニット部２２が後方に移動して表示ユニット部２２による押圧力がなくなると、コイルバネ７３は扉２４の閉状態に付勢した状態に復帰しようとする。したがって、扉２４も強制的な開状態から閉状態（図１１参照）に移行する。
【００８２】
第１実施例に係る扉２４の開閉機構は、上述した遊技機の演出表示部２に適用されることに限らず、扉の開閉機構を備える種々の機器に適用可能である。例えば、以下に示すようなオーディオ機器にも適用することができる。
【００８３】
図１５は、本願発明の第２実施例に係る扉の開閉機構が適用されるオーディオ機器としてのＤＶＤプレーヤの斜視図である。図１６は、図１５に示すＤＶＤプレーヤの蓋部材が開状態のときの斜視図である。図１７は、図１５及び図１６に示すＤＶＤプレーヤのトレイが進出されたときの斜視図である。
【００８４】
このＤＶＤプレーヤは、図１５に示すように、略直方体形状に形成された本体８０を有している。本体８０の前面には、扉部材８１が開閉自在に取り付けられている。本体８０には、閉状態の扉部材８１の左右両側に、電源スイッチ８２及び扉部材８１を開閉するための開閉スイッチ８３等が設けられている。
【００８５】
ユーザによって扉部材８１を開閉するための開閉スイッチ８３が押圧操作されると、図１６に示すように、扉部材８１が閉状態から開状態に移行する（矢印Ｌ７参照）。扉部材８１が開状態になると、本体８０の凹陥部８０ａが外部に露出する。凹陥部８０ａには、ＤＶＤやＣＤ等を載置するためのトレイ８４及び各種の動作状態を表示するための液晶表示部８５の他に、トレイ８４を前方に進出させるための進出スイッチ、トレイ８４を後方に退入させるための退入スイッチ、音量の大小を調整するための音量ツマミ及び各種の動作状態を設定するための各種スイッチ８６等が設けられている。
【００８６】
ユーザによってトレイ８４の進出スイッチが押圧操作されると、図１７に示すように、トレイ８４が進出され、これにより、ユーザはトレイ８４に載置するＤＶＤ等の出し入れを行うことができる。
【００８７】
図１８及び図１９は、扉部材８１を含む扉開閉機構８７の構成を示す図であり、図１８は扉開閉機構８７の分解斜視図であり、図１９は扉開閉機構８７が組み合わされた場合の斜視図である。
【００８８】
この扉開閉機構８７の構成は、上記した遊技機の扉２４及び扉開閉機構５７の構成と略同様である。すなわち、扉開閉機構８７は、扉部材８１と、シャフト８８と、コイルバネ８９と、ウォーム９０とによって概略構成されている。
【００８９】
扉部材８１は、長尺状の基体部９１と、基体部９１の長辺一端から延びたフランジ部９２とからなる。扉部材８１の内側両端には、一対の軸支持部９３が形成されており、軸支持部９３には、第１実施例と同様に、シャフト８８を挿通するための挿通孔９３ａが形成されている。挿通孔９３ａの内表面の一部は、図２０に示すように、略三角柱形状に突出した突出部９３ｂが形成されており、突出部９３ｂは、第１平面部９３ｃと第２平面部９３ｄとを有している。
【００９０】
シャフト８８の両端は、第１実施例と同様に、切欠部９４がそれぞれ形成されている。切欠部９４は、側面視で略Ｄ字状に形成されており、平面部９４ａを有している。
【００９１】
図２１及び図２２は、扉開閉機構８７とそれを駆動する駆動機構とを示す要部側面図であり、図２１は扉部材８１が閉状態である場合を示す図、図２２は扉部材８１が開状態である場合を示す図である。図２１及び図２２は、第１実施例の図１１及び図１２にそれぞれ対応するものである。
【００９２】
本体８０の内部には、ウォーム９０と歯合するギア９５が設けられており、ギア９５は扉開閉用モータ９６によって所定のタイミングで回転駆動される。扉部材８１の閉状態では、シャフト８８の切欠部９４が軸支持部９３の挿通孔９３ａに挿通されるが、挿通孔９３ａにはシャフト８８の切欠部９４が所定角度（本実施形態では約９０°）だけ回転可能な遊動空間９７を生じさせている。
【００９３】
図２１に示す扉部材８１の閉状態では、コイルバネ８９のバネ圧によって、切欠部９４の平面部９４ａと軸支持部９３の第１平面部９３ｃとが当接された状態に維持されている。
【００９４】
扉開閉用モータ９６が駆動されると、それにともないギア９５が反時計周りに回転し（図２１の矢印Ｌ８参照）、扉開閉用モータ９６の回転力はギア９５を介してウォーム９０に伝達され、シャフト８８が回転する。シャフト８８の回転動作により、切欠部９４の平面部９４ａが軸支持部９３の第１平面部９３ｃを図２１の矢印Ｐ２の向きに押圧する。これにより、扉部材８１を含む扉開閉機構８７が回転し（図２１の矢印Ｌ９参照）、図２２に示すように扉部材８１が開状態となる。この場合、切欠部９４の平面部９４ａと軸支持部９３の第１平面部９３ｃとは、当接状態が維持されている。
【００９５】
上記構成において、扉部材８１が開状態でないにもかかわらず、トレイ８４が誤動作して前方側に移動する場合、トレイ８４が閉状態の扉部材８１に衝突する。しかしながら、本実施形態では、軸支持部９３の挿通孔９３ａに遊動空間９７を生じさせているため、トレイ８４が扉部材８１に衝突してもそのままトレイ８４を前方側に進出させることができる。
【００９６】
すなわち、図２３に示すように、扉部材８１が閉状態のときにトレイ８４が進出すると（矢印Ｌ１０参照）、扉部材８１にトレイ８４の押圧力が加わる。この場合、軸支持部９３の挿通孔９３ａに遊動空間９７が生じているので、切欠部９４の平面部９４ａに当接していた、軸支持部９３の第１平面部９３ｃは当該平面部９４ａから離間され、軸支持部９３の第２平面部９３ｄが当該平面部９４ａに接近する。したがって、軸支持部９３がシャフト８８の軸周りに回転し、これにより扉部材８１が回転する（矢印Ｌ１１参照）。このとき、シャフト８８は静止状態が維持される。
【００９７】
このように、軸支持部９３の挿通孔９３ａに遊動空間９７が生じているので、軸支持部９３の突出部９３ｂは、遊動空間９７内で所定角度（約９０°）回転することができ、これにより、扉開閉機構８７も、トレイ８４の進出による押圧力が加わっても所定角度（約９０°）回転することができる。すなわち、トレイ８４が衝突してもトレイ８４の押圧力を逃がすことができる。したがって、扉部材８１やトレイ８４が衝突することによる破損を抑制することができる。また、扉部材８１にトレイ８４による押圧力が加わっても、シャフト８８は静止状態を維持するので、ウォーム９０は回転することがないので、ギア９５も回転することがなく、扉開閉用モータ９６や駆動機構等に負荷をかけることがない。
【００９８】
なお、図２３に示すように、扉部材８１がトレイ８４の押圧力によって強制的に閉状態から開状態とされた場合には、コイルバネ８９はその付勢力に抗して伸張状態とされているが、トレイ８４が後方に移動してトレイ８４による押圧力がなくなると、コイルバネ８９は扉部材８１の閉状態に付勢した状態に復帰しようとする。したがって、扉部材８１も強制的な開状態から閉状態（図２１参照）に移行する。
【００９９】
このように、ＤＶＤプレーヤ等のオーディオ機器においても本願発明を適用することができ、第１実施例と同様の作用効果を奏する。なお、本願発明が適用されるオーディオ機器としては、上記ＤＶＤプレーヤに限らず、例えばＤＶＤレコーダ、ＣＤプレーヤ、あるいはホームシアターシステム等に組み込まれて用いられるＡＶアンプ等が挙げられる。また、本願発明は、オーディオ機器に限らず、例えばＣＤやＤＶＤ等の記憶媒体を載置可能なパーソナルコンピュータやゲーム装置等の電子機器にも適用することができる。
【０１００】
ところで、第１実施例に係る遊技機の演出表示部２においては、扉２４が開状態から閉状態になるとき、扉２４が半開きになったり、扉２４同士の間で隙間が生じたりすることがないことが好ましい。本実施形態に係る遊技機では４つの扉２４の開閉を演出効果に利用するので、各扉２４を独立して開閉制御するようになっている。このため、上記演出表示部２では、例えばフォトセンサによって扉２４の停止位置をそれぞれ検出して扉２４同士が隙間なく閉じられるようにしている。上記演出表示部２では、回転軸としてのシャフト７２周りに扉２４を回転させているため、上記フォトセンサは、回転軸から可及的に離間した位置（例えば扉２４の先端側）に配置されることが好ましい。すなわち、フォトセンサを扉２４の先端側に配置させると、扉２４の閉状態時に扉２４の位置の検出精度が向上し、扉２４同士の隙間が生じることを抑制することができるからである。
【０１０１】
しかしながら、扉２４の先端側は、構造上、フォトセンサを配置させることは困難である。したがって、演出表示部２においては、フォトセンサを扉２４の基端部、すなわち回転軸（シャフト７２）の近傍に配置させることが多い。ところが、回転軸近傍における位置ずれは回転軸から遠ざかるほど大きくなるので、フォトセンサを扉２４の基端部に配置させた場合、配置位置にばらつきがあると、扉２４同士で停止位置が著しくずれることが生ずる。したがって、扉２４が半開きになったり、扉２４同士の間で隙間が生じたりすることが起こる。
【０１０２】
そこで、第３実施例においては、扉２４の閉状態において扉２４が確実に閉じられ、扉２４が半開きになったり、扉２４同士の間で隙間が生じたりすることがない扉の開閉構造を提供する。なお、以下の説明においては、主として第１実施例と異なる点について説明することにし、説明のない部分についての構成は第１実施例と略同様とする。
【０１０３】
図２４は、本願発明の第３実施例に係る扉１０１の斜視図であり、扉１０１を後方斜め下方向から見た図である。なお、この扉１０１は、第１実施例で示した扉２４と長尺部材７１とが一体的に形成されたものと同等であり、この点で第１実施例と異なる。また、扉１０１には、図６又は図７に示したような蓋部材７５がない点でも第１実施例と異なる。
【０１０４】
扉１０１は、その基端部の両端部近傍に、シャフト１０２（後述）を回転可能に支持するための一対の軸支持部１０３が設けられ、軸支持部１０３には挿通孔１０３ａが形成されている。軸支持部１０３の挿通孔１０３ａには、図２５に示すように、挿通孔１０３ａの内表面の一部が略三角柱形状に突出した突出部１０３ｂが形成されている。突出部１０３ｂは、平面状の第１平面部１０３ｃと、第１平面部１０３ｃに対して略鈍角（本実施形態では約１５０°）方向に連設された平面状の第２平面部１０３ｄとを有している。なお、図２５の符号１０５で示す部分は、コイルバネ１０９（後述）の一端を支持する支持孔である。
【０１０５】
また、扉１０１には、シャフト１０２を支持するための複数（図２４では３つ）のストッパリブ１０４が設けられている。ストッパリブ１０４は、略半円状のシャフト受け部１０４ａを有しており、このシャフト受け部１０４ａによってシャフト１０２が支持される。ストッパリブ１０４は、その迫り出し部分に平面部１０４ｂが形成されている。この平面部１０４ｂは、扉１０１が閉状態のとき、支持枠体５９（図５参照）のシャフト支持部１０６（後述）に当接される部分である。すなわち、ストッパリブ１０４は、扉１０１が開状態から閉状態になるとき、平面部１０４ｂがシャフト支持部１０６に当接することにより、扉１０１の回転動作を阻止する機能を有している。
【０１０６】
図２４における手前側のストッパリブ１０４の近傍には、センサリブ１０５が設けられている。センサリブ１０５は、扉１０１の閉状態を検出するためのフォトセンサ１０７（後述）に対応して配置されている。センサリブ１０５は、ストッパリブ１０４と同様に、略半円状のシャフト受け部１０５ａを有しており、このシャフト受け部１０５ａによってシャフト１０２が支持される。また、センサリブ１０５は、その迫り出し部分がフォトセンサ１０７の被検出部材として機能し、すなわち、扉１０１が開状態から閉状態になるとき、上記迫り出し部分がフォトセンサ１０７の受光部を遮蔽することにより、扉１０１が検出される（詳細は後述）。
【０１０７】
この第３実施例に係る支持枠体５９には、シャフト１０２を支持するための複数のシャフト支持部１０６がストッパリブ１０４とほぼ対向する位置に設けられている。シャフト支持部１０６は、図２６に示すように、シャフト１０２を回転自在に支持するための挿通孔１０６ａが形成されているとともに、左右一対のフランジ１０６ｂが形成されている。これらのフランジ１０６ｂは、扉１０１の回転を阻止するストッパ部材として機能し、扉１０１の閉状態では、ストッパリブ１０４の平面部１０４ｂと当接される。
【０１０８】
図２７は、扉１０１が閉状態におけるシャフト支持部１０６とストッパリブ１０４との位置関係を示す図である。同図に示すように、扉１０１の閉状態には、ストッパリブ１０４の平面部１０４ｂがシャフト支持部１０６のフランジ１０６ｂと当接される。これにより、図２７の矢印Ｌ１２の向きに回転していた扉１０１は、その回転動作が阻止され、扉１０１は略垂直の姿勢になる。
【０１０９】
また、支持枠体５９には、図２８に示すように、フォトセンサ１０７が設けられている。フォトセンサ１０７は、扉１０１の閉状態を検出するためのものであって、センサリブ１０５とほぼ対向する位置に設けられている。フォトセンサ１０７は、発光部１０７ａと受光部（図略）とが対向配置されたものであり、発光部１０７ａから出力する光を受光部が受光するか否かによって、発光部１０７ａと受光部との間を通過する被検出部材を検出するいわゆる光透過型のセンサである。
【０１１０】
第３実施例に係るフォトセンサ１０７は、被検出部材としてのセンサリブ１０５を検出するためのものであり、フォトセンサ１０７の出力により扉１０１の閉状態を検出する。すなわち、フォトセンサ１０７の出力は、図略のＣＰＵに入力され、ＣＰＵによって扉１０１の閉状態が認識される。なお、フォトセンサ１０７は、実装基板１１８に実装され、実装基板１１８は支持枠体５９に取り付けられている。
【０１１１】
図２９は、扉１０１の閉状態におけるフォトセンサ１０７とセンサリブ１０５との位置関係を示す図である。なお、上述した図２８は、扉１０１の開状態におけるフォトセンサ１０７とセンサリブ１０５との位置関係を示す図である。図２８に示すように、扉１０１が開状態のときには、センサリブ１０５はフォトセンサ１０７の発光部１０７ａを遮蔽していない。そのため、発光部１０７ａから出力された光は受光部で受光され、フォトセンサ１０７は、被検出部材であるセンサリブ１０５を検出しない。よって、扉１０１は開状態であると上記ＣＰＵは認識する。
【０１１２】
この扉１０１の開状態から扉１０１が回転動作し（矢印Ｌ１３参照）、図２９に示すように、扉１０１が略垂直の姿勢になると、センサリブ１０５がフォトセンサ１０７の発光部１０７ａを遮蔽する。したがって、フォトセンサ１０７はセンサリブ１０５を検出したことになり、よって、扉１０１の閉状態であると上記ＣＰＵは認識する。
【０１１３】
ここで、上記のように扉１０１の基端部（シャフト１０２の軸近傍）にフォトセンサ１０７が配置されると、その配置位置にばらつきがある場合、扉１０１の閉状態を確実に検知することができないことがある。例えば、図３０に示すように、扉１０１が半開きの状態でも、センサリブ１０５がフォトセンサ１０７の発光部１０７ａを遮蔽する場合がある。これにより、扉１０１が半開きの状態にもかかわらず、ＣＰＵは、扉１０１が閉状態にあると誤認識してしまう。
【０１１４】
ＣＰＵは、扉１０１が閉状態にあると認識すると、扉１０１を回転動作させるための扉開閉用モータ１１３（後述）の駆動を停止するので、扉１０１は半開きの状態が維持されることになる。
【０１１５】
そこで、本第３実施例では、扉１０１が確実に閉状態になるように、ストッパリブ１０４の平面部１０４ｂがシャフト支持部１０６のフランジ１０６ｂと当接されて、扉１０１の回転動作が停止されても、一定時間、扉開閉用モータ１１３を駆動させて、扉１０１の半開き状態を解消するようにしている。
【０１１６】
図３１は、扉１０１が開状態にある場合の扉開閉ユニット部２３の要部側面図である。扉１０１の軸支持部１０３の挿通孔１０３ａには、第１実施例と同様に、シャフト１０２の両端が挿通されている。シャフト１０２の両端は、略Ｄ字状に形成された切欠部１０８が形成され、切欠部１０８は平面部１０８ａを有している。シャフト１０２の一端には、コイルバネ１０９及びウォーム１１０が固着されている。ウォーム１１０には、ウォームホイール１１１が歯合され、ウォームホイール１１１は、プーリギア１１２を介して扉開閉用モータ１１３に連結されている。
【０１１７】
図３１に示す扉１０１の開状態では、シャフト１０２の切欠部１０８の平面部１０８ａと、軸支持部１０３の挿通孔１０３ａの第１平面部１０３ｃとが当接している。したがって、挿通孔１０３ａには、遊動空間１１５が生じている。
【０１１８】
扉１０１の開状態からＣＰＵによって扉開閉用モータ１１３が駆動され、プーリギア１１２を介してウォームホイール１１１にその回転力が伝達されると、ウォームホイール１１１に歯合されたウォーム１１０は、後方側に引き込むように（側面視で反時計周りに）回転する（矢印Ｌ１４参照）。
【０１１９】
シャフト１０２の切欠部１０８の平面部１０８ａは、軸支持部１０３の挿通孔１０３ａの第１平面部１０３ｃに当接しているので、図３１の矢印Ｐ３に示す向きに切欠部１０８の平面部１０８ａに対して押圧力が加わる。これにより、ウォーム１１０の回転にともないシャフト１０２及び扉１０１が回転する。すなわち、扉１０１が水平の姿勢から、図３２に示すような略垂直の姿勢に変位する。
【０１２０】
この場合、シャフト１０２の切欠部１０８の平面部１０８ａと、軸支持部１０３の挿通孔１０３ａの第１平面部１０３ｃとの当接状態は、扉１０１が開状態から閉状態に移行されても維持される。
【０１２１】
この状態で、ＣＰＵはフォトセンサ１０７の出力により扉１０１の閉状態を認識した後、さらに継続して扉開閉用モータ１１３を駆動させる。すなわち、図３３に示すように、ウォーム１１０がさらに回転動作を継続し、支持枠体５９の上面から迫り出す位置までウォーム１１０を回転させる（矢印Ｌ１５参照）。
【０１２２】
扉１０１の閉状態では、シャフト１０２の切欠部１０８の平面部１０８ａと、軸支持部１０３の挿通孔１０３ａの第１平面部１０３ｃとが当接しているが、挿通孔１０３ａには遊動空間１１５が生じているので、ウォーム１１０の回転が継続されると、図３３の矢印Ｌ１６に示すように、シャフト１０２の切欠部１０８が遊動空間１１５内を移動し、切欠部１０８の平面部１０８ａと、軸支持部１０３の挿通孔１０３ａの第２平面部１０３ｄとが当接されるようになる。
【０１２３】
シャフト１０２の切欠部１０８が遊動空間１１５内を移動中に、ＣＰＵは、扉開閉用モータ１１３の駆動を停止させる。これにより、ウォーム１１０の回転が停止し、シャフト１０２の切欠部１０８の遊動空間１１５内の移動も停止するが、切欠部１０８の遊動空間１１５内の移動により、ストッパリブ１０４の平面部１０４ｂとシャフト支持部１０６のフランジ１０６ｂとが確実に当接され、扉１０１は半開くことなく確実に閉じられることになる。
【０１２４】
図３２に示した扉１０１の閉状態では、本来ならば、フォトセンサ１０７がセンサリブ１０５を検出し、図２７に示したように、ストッパリブ１０４の平面部１０４ｂがシャフト支持部１０６のフランジ１０６ｂに当接しているはずであるが、フォトセンサ１０７の配置位置のばらつきによってストッパリブ１０４の平面部１０４ｂとシャフト支持部１０６のフランジ１０６ｂとがわずかに離間して、扉１０１が半開きの状態になっていることが考えられる。
【０１２５】
しかしながら、上記したように、図３２に示した扉１０１の閉状態においても、ウォーム１１０の回転動作が継続され、シャフト１０２の切欠部１０８の遊動空間１１５内を移動して扉１０１を強制的に回転させるので、ストッパリブ１０４の平面部１０４ｂとシャフト支持部１０６のフランジ１０６ｂとが確実に当接される。
【０１２６】
このように、第３実施例では、フォトセンサ１０７の配置に位置ずれがあっても、遊動空間１１５を利用して扉１０１を確実に閉状態にすることができる。また、上記構成を用いることにより、フォトセンサ１０７の配置位置は厳密に特定されることがないため、機器の省スペース化を図ることができる。
【０１２７】
もちろん、この発明の範囲は上述した実施の形態に限定されるものではない。例えば、本実施形態では、パチンコ遊技機及びオーディオ機器に本願発明を適用したが、本願発明を適用できる機器は、これらに限るものではない。また、上記実施形態で示した機器の外形、サイズ等は一例にすぎず、例えばシャフトの切欠部と軸支持部の挿通孔とによって生じる遊動空間は、上記実施形態に示した外形に限るものではなく、本願の趣旨を逸脱しない範囲で変更可能である。
【０１２８】
また、第１実施例は扉の閉状態における開閉構造であり、第３実施例は扉の開状態における開閉構造であるため、両者が成立するように構成されてもよい。また、第３実施例の開閉構造は、第２実施例で示したオーディオ機器等に適用されてもよい。
【図面の簡単な説明】
【０１２９】
【図１】本願発明の第１実施例に係る扉の開閉構造が適用されるスロットマシン遊技機の概略正面図である。
【図２】演出表示部の分解斜視図である。
【図３】収納部の斜視図である。
【図４】表示ユニット部の斜視図である。
【図５】扉開閉ユニット部の斜視図である。
【図６】扉及び扉開閉機構の分解斜視図である。
【図７】扉及び扉開閉機構が組み合わされた場合の斜視図である。
【図８】シャフトの側面図であり、（ａ）は右側面から（ｂ）は左側面からそれぞれ見た図である。
【図９】扉及び扉開閉機構の側面図である。
【図１０】扉及び扉開閉機構が回転した場合の側面図である。
【図１１】扉が閉状態にある場合の扉開閉ユニット部の要部側面図である。
【図１２】扉が開状態にある場合の扉開閉ユニット部の要部側面図である。
【図１３】扉の閉状態において表示ユニット部が例えば誤動作して前方方向に移動した場合の側面図である。
【図１４】図１３における扉開閉ユニット部の要部側面図である。
【図１５】本願発明の第２実施例に係る扉の開閉機構が適用されるＤＶＤプレーヤの斜視図である。
【図１６】図１５に示すＤＶＤプレーヤの蓋部材が開状態のときの斜視図である。
【図１７】図１５及び図１６に示すＤＶＤプレーヤのトレイが進出されたときの斜視図である。
【図１８】蓋開閉機構の分解斜視図である。
【図１９】蓋開閉機構が組み合わされた場合の斜視図である。
【図２０】蓋部材の側面図である。
【図２１】蓋開閉機構とそれを駆動する駆動機構とを示す要部側面図であり、蓋部材が閉状態である場合を示す図である。
【図２２】蓋開閉機構とそれを駆動する駆動機構とを示す要部側面図であり、蓋部材が開状態である場合を示す図である。
【図２３】蓋部材の閉状態においてトレイが例えば誤動作して前方方向に移動した場合の蓋開閉機構とそれを駆動する駆動機構とを示す要部側面図である。
【図２４】本願発明の第３実施例に係る扉の斜視図である。
【図２５】扉の側面図である。
【図２６】シャフト支持部の斜視図である。
【図２７】扉が閉状態におけるシャフト支持部とストッパリブとの位置関係を示す図である。
【図２８】扉が開状態の場合のフォトセンサとセンサリブとの位置関係を示す図である。
【図２９】扉が閉状態の場合のフォトセンサとセンサリブとの位置関係を示す図である。
【図３０】扉が半開きの場合のフォトセンサとセンサリブとの位置関係を示す図である。
【図３１】扉が開状態にある場合の扉開閉ユニット部の要部側面図である。
【図３２】扉が閉状態にある場合の扉開閉ユニット部の要部側面図である。
【図３３】扉が閉状態であってウォームをさらに移動した場合の扉開閉ユニット部の要部側面図である。
【図３４】従来の、扉開閉ユニット部と表示ユニット部とが移動した場合の両者の位置関係を示す図である。
【符号の説明】
【０１３０】
１  本体（パチスロ遊技機）
２  演出表示部
３  表示窓
７，８，９  回転リール
２１  収納部
２２  表示ユニット部
２３  扉開閉ユニット部
２４  扉
２５  開口
３１  第１駆動機構
３２  第２駆動機構
５７  扉開閉機構
５９  支持枠体
６８  ウォームギア
６９  扉開閉用モータ
７１  長尺部材
７２  シャフト
７３  コイルバネ
７４  ウォーム
７６  軸支持部
７６ａ  挿通孔
７６ｂ  突起部
７６ｃ  第１平面部
７６ｄ  第２平面部
７７  切欠部
７７ａ  平面部
７９  遊動空間
８０  本体（ＤＶＤプレーヤ）
８１  扉部材
８４  トレイ
８８  シャフト
８９  コイルバネ
９０  ウォーム
９３  軸支持部
９３ａ  挿通孔
９３ｂ  突起部
９３ｃ  第１平面部
９３ｄ  第２平面部
９４  切欠部
９４ａ  平面部
９５  ギア
９６  扉開閉用モータ
９７  遊動空間
１０１  扉
１０２  シャフト
１０３  軸支持部
１０３ａ  挿通孔
１０３ｂ  突起部
１０３ｃ  第１平面部
１０３ｄ  第２平面部
１０４  ストッパリブ
１０５  センサリブ
１０６  シャフト支持部
１０６ｂ  フランジ部
１０７  フォトセンサ
１０７ａ  発光部
１０９  コイルバネ
１１０  ウォーム
１１１  ウォームギア
１１３  扉開閉用モータ
１１５  遊動空間
【図１】
0004770849.tif 000002
【図２】
0004770849.tif 000003
【図３】
0004770849.tif 000004
【図４】
0004770849.tif 000005
【図５】
0004770849.tif 000006
【図６】
0004770849.tif 000007
【図７】
0004770849.tif 000008
【図８】
0004770849.tif 000009
【図９】
0004770849.tif 000010
【図１０】
0004770849.tif 000011
【図１１】
0004770849.tif 000012
【図１２】
0004770849.tif 000013
【図１３】
0004770849.tif 000014
【図１４】
0004770849.tif 000015
【図１５】
0004770849.tif 000016
【図１６】
0004770849.tif 000017
【図１７】
0004770849.tif 000018
【図１８】
0004770849.tif 000019
【図１９】
0004770849.tif 000020
【図２０】
0004770849.tif 000021
【図２１】
0004770849.tif 000022
【図２２】
0004770849.tif 000023
【図２３】
0004770849.tif 000024
【図２４】
0004770849.tif 000025
【図２５】
0004770849.tif 000026
【図２６】
0004770849.tif 000027
【図２７】
0004770849.tif 000028
【図２８】
0004770849.tif 000029
【図２９】
0004770849.tif 000030
【図３０】
0004770849.tif 000031
【図３１】
0004770849.tif 000032
【図３２】
0004770849.tif 000033
【図３３】
0004770849.tif 000034
【図３４】
0004770849.tif 000035